(57)【特許請求の範囲】
【請求項１】
第１の通信プロトコルを用いて他情報処理装置と通信を行う第１の通信ネットワークと、前記第１の通信プロトコルとは異なる第２の通信プロトコルを用いて他情報処理装置と通信を行う第２の通信ネットワークとに接続された情報処理装置であって、
前記第１の通信ネットワークを介して接続された他情報処理装置との間の物理回線の異常または正常を示す第１物理回線状態を検出する第１物理回線状態検出部と、
前記第１の通信ネットワークを介して接続された他情報処理装置との間の前記物理回線上に構成された仮想回線の異常または正常を示す第１仮想回線状態を検出する第１仮想回線状態検出部と、
前記第２の通信ネットワークを介して接続された他情報処理装置との間の物理回線の異常または正常を示す第２物理回線状態を検出する第２物理回線状態検出部と、
前記第２の通信ネットワークを介して接続された他情報処理装置との間の前記物理回線上に構成された仮想回線の異常または正常を示す第２仮想回線状態を検出する第２仮想回線状態検出部と、
前記第１物理回線状態および前記第１仮想回線状態から特定される第１回線状態と、前記第２物理回線状態および前記第２仮想回線状態から特定される第２回線状態とを対応付けた状態情報記憶データを生成する状態情報記憶データ生成部と、
を備えることを特徴とする情報処理装置。
【請求項２】
前記第１の通信ネットワークを介して接続された他情報処理装置からの回線状態確認要求に基づいて前記第２回線状態を応答し、前記第２の通信ネットワークを介して接続された他情報処理装置からの回線状態確認要求に基づいて前記第１回線状態を応答する回線状態通知部と、
を備えることを特徴とする請求項１に記載の情報処理装置。
【請求項３】
前記第１の通信プロトコルがフレームリレーであり、
前記第２の通信プロトコルがＰＳＮ（Packet Switched Network）上に構築されたスードワイヤである
ことを特徴とする請求項１または請求項２に記載の情報処理装置。
【請求項４】
第１の通信プロトコルを用いて他情報処理装置と通信を行う第１の通信ネットワークと、前記第１の通信プロトコルとは異なる第２の通信プロトコルを用いて他情報処理装置と通信を行う第２の通信ネットワークとに接続された情報処理装置における回線状態管理方法であって、
第１物理回線状態検出部が、前記第１の通信ネットワークを介して接続された他情報処理装置との間の物理回線の異常または正常を示す第１物理回線状態を検出し、
第１仮想回線状態検出部が、前記第１の通信ネットワークを介して接続された他情報処理装置との間の前記物理回線上に構成された仮想回線の異常または正常を示す第１仮想回線状態を検出し、
第２物理回線状態検出部が、前記第２の通信ネットワークを介して接続された他情報処理装置との間の物理回線の異常または正常を示す第２物理回線状態を検出し、
第２仮想回線状態検出部が、前記第２の通信ネットワークを介して接続された他情報処理装置との間の前記物理回線上に構成された仮想回線の異常または正常を示す第２仮想回線状態を検出し、
状態情報記憶データ生成部が、前記第１物理回線状態および前記第１仮想回線状態から特定される第１回線状態と、前記第２物理回線状態および前記第２仮想回線状態から特定される第２回線状態とを対応付けた状態情報記憶データを生成する
ことを特徴とする回線状態管理方法。
【請求項５】
第１の通信プロトコルを用いて他情報処理装置と通信を行う第１の通信ネットワークと、前記第１の通信プロトコルとは異なる第２の通信プロトコルを用いて他情報処理装置と通信を行う第２の通信ネットワークとに接続された情報処理装置のコンピュータを、
前記第１の通信ネットワークを介して接続された他情報処理装置との間の物理回線の異常または正常を示す第１物理回線状態を検出する第１物理回線状態検出手段、
前記第１の通信ネットワークを介して接続された他情報処理装置との間の前記物理回線上に構成された仮想回線の異常または正常を示す第１仮想回線状態を検出する第１仮想回線状態検出手段、
前記第２の通信ネットワークを介して接続された他情報処理装置との間の物理回線の異常または正常を示す第２物理回線状態を検出する第２物理回線状態検出手段、
前記第２の通信ネットワークを介して接続された他情報処理装置との間の前記物理回線上に構成された仮想回線の異常または正常を示す第２仮想回線状態を検出する第２仮想回線状態検出手段、
前記第１物理回線状態および前記第１仮想回線状態から特定される第１回線状態と、前記第２物理回線状態および前記第２仮想回線状態から特定される第２回線状態とを対応付けた状態情報記憶データを生成する状態情報記憶データ生成手段、
として機能させるためのプログラム。
【請求項６】
フレームリレーの通信プロトコルを用いてＣＥ（Customer Edge）装置と通信を行うフレームリレーネットワークと、スードワイヤの通信プロトコルを用いて他情報処理装置と通信を行うスードワイヤネットワークとに接続された情報処理装置であって、
前記フレームリレーネットワークを介して接続されたＣＥ装置との間の物理回線の異常または正常を示す第１物理回線状態を検出する第１物理回線状態検出部と、
前記フレームリレーネットワークを介して接続されたＣＥ装置との間の前記フレームリレーネットワーク上に構成された仮想回線の異常または正常を示す第１仮想回線状態を検出する第１仮想回線状態検出部と、
前記スードワイヤネットワークを介して接続されたＰＥ（Provider Edge）装置との間の物理回線の異常または正常を示す第２物理回線状態を検出する第２物理回線状態検出部と、
前記スードワイヤネットワークを介して接続されたＰＥ装置との間の前記物理回線上に構成された仮想回線の異常または正常を示す第２仮想回線状態を検出する第２仮想回線状態検出部と、
を備えることを特徴とするＰＥ装置。
【発明の詳細な説明】
【技術分野】
【０００１】
本発明は回線の状態を検出する情報処理装置、回線状態管理方法、プログラム、ＰＥ装置に関する。
【背景技術】
【０００２】
誤り訂正や再送信手順、送受信順序制御などを簡素化して通信の高速化を図ったパケット通信方式としてフレームリレー（Ｆｒａｍｅ  Ｒｅｌａｙ）と呼ばれる通信方式が存在する。当該フレームリレーにおいては、ＬＭＩ（Ｌｏｃａｌ  Ｍａｎａｇｅｍｅｎｔ Ｉｎｔｅｒｆａｃｅ）と呼ばれる処理により、フレームリレーで接続された端末やルータなどの情報処理装置との間の回線の異常または正常を示す回線状態を検出する技術が採用されている。ここで、非特許文献１や非特許文献２には、回線状態の確認手順に関する技術が開示されている。
【先行技術文献】
【非特許文献】
【０００３】
【非特許文献１】“IETF Network Working Group Request for Comments: 4618 Encapsulation Methods for Transport of PPP/High-Level Data Link Control (HDLC) over MPLS Networks”、「online」、「平成２４年４月２４日検索」、インターネット＜ＵＲＬ：http://tools.ietf.org/html/rfc4618＞
【非特許文献２】“IETF Network Working Group Request for Comments: 4619, Encapsulation Methods for Transport of Frame Relay over Multiprotocol Label Switching (MPLS) Networks”、「online」、「平成２４年４月２４日検索」、インターネット＜ＵＲＬ：http://tools.ietf.org/html/rfc4619＞
【発明の概要】
【発明が解決しようとする課題】
【０００４】
ところで、例えばフレームリレーと、Ｐｓｅｕｄｏｗｉｒｅ（以下、スードワイヤと示す）ネットワークなどの異なる２つの通信ネットワークを用いて通信システム構築する場合には、フレームリレーとスードワイヤネットワークそれぞれにおいてＬＭＩ処理によりリンク状態確認や仮想回線（Permanent Virtual Connection；ＰＶＣ）の状態確認を行う必要がある。しかしながら、そのような異なる複数の通信ネットワークに対応するようなＬＭＩ処理については現在、通信ネットワーク技術においては規定されておらず、一方の通信ネットワークについての回線状態情報を、一方の通信ネットワークとは異なる通信プロトコルを用いる他方の通信ネットワークへも通知できるようなＬＭＩ処理を行うことのできる技術が望まれている。
【０００５】
そこでこの発明は、上述の課題を解決することのできる情報処理装置、回線状態管理方法、プログラム、ＰＥ装置を提供することを目的としている。
【課題を解決するための手段】
【０００６】
上記目的を達成するために、本発明は、第１の通信プロトコルを用いて他情報処理装置と通信を行う第１の通信ネットワークと、前記第１の通信プロトコルとは異なる第２の通信プロトコルを用いて他情報処理装置と通信を行う第２の通信ネットワークとに接続された情報処理装置であって、前記第１の通信ネットワークを介して接続された他情報処理装置との間の物理回線の異常または正常を示す第１物理回線状態を検出する第１物理回線状態検出部と、前記第１の通信ネットワークを介して接続された他情報処理装置との間の前記物理回線上に構成された仮想回線の異常または正常を示す第１仮想回線状態を検出する第１仮想回線状態検出部と、前記第２の通信ネットワークを介して接続された他情報処理装置との間の物理回線の異常または正常を示す第２物理回線状態を検出する第２物理回線状態検出部と、前記第２の通信ネットワークを介して接続された他情報処理装置との間の前記物理回線上に構成された仮想回線の異常または正常を示す第２仮想回線状態を検出する第２仮想回線状態検出部と、前記第１物理回線状態および前記第１仮想回線状態から特定される第１回線状態と、前記第２物理回線状態および前記第２仮想回線状態から特定される第２回線状態とを対応付けた状態情報記憶データを生成する状態情報記憶データ生成部と、を備えることを特徴とする情報処理装置である。
【０００７】
また本発明は、第１の通信プロトコルを用いて他情報処理装置と通信を行う第１の通信ネットワークと、前記第１の通信プロトコルとは異なる第２の通信プロトコルを用いて他情報処理装置と通信を行う第２の通信ネットワークとに接続された情報処理装置における回線状態管理方法であって、第１物理回線状態検出部が、前記第１の通信ネットワークを介して接続された他情報処理装置との間の物理回線の異常または正常を示す第１物理回線状態を検出し、第１仮想回線状態検出部が、前記第１の通信ネットワークを介して接続された他情報処理装置との間の前記物理回線上に構成された仮想回線の異常または正常を示す第１仮想回線状態を検出し、第２物理回線状態検出部が、前記第２の通信ネットワークを介して接続された他情報処理装置との間の物理回線の異常または正常を示す第２物理回線状態を検出し、第２仮想回線状態検出部が、前記第２の通信ネットワークを介して接続された他情報処理装置との間の前記物理回線上に構成された仮想回線の異常または正常を示す第２仮想回線状態を検出し、状態情報記憶データ生成部が、前記第１物理回線状態および前記第１仮想回線状態から特定される第１回線状態と、前記第２物理回線状態および前記第２仮想回線状態から特定される第２回線状態とを対応付けた状態情報記憶データを生成することを特徴とする回線状態管理方法である。
【０００８】
また本発明は、第１の通信プロトコルを用いて他情報処理装置と通信を行う第１の通信ネットワークと、前記第１の通信プロトコルとは異なる第２の通信プロトコルを用いて他情報処理装置と通信を行う第２の通信ネットワークとに接続された情報処理装置のコンピュータを、前記第１の通信ネットワークを介して接続された他情報処理装置との間の物理回線の異常または正常を示す第１物理回線状態を検出する第１物理回線状態検出手段、前記第１の通信ネットワークを介して接続された他情報処理装置との間の前記物理回線上に構成された仮想回線の異常または正常を示す第１仮想回線状態を検出する第１仮想回線状態検出手段、前記第２の通信ネットワークを介して接続された他情報処理装置との間の物理回線の異常または正常を示す第２物理回線状態を検出する第２物理回線状態検出手段、前記第２の通信ネットワークを介して接続された他情報処理装置との間の前記物理回線上に構成された仮想回線の異常または正常を示す第２仮想回線状態を検出する第２仮想回線状態検出手段、前記第１物理回線状態および前記第１仮想回線状態から特定される第１回線状態と、前記第２物理回線状態および前記第２仮想回線状態から特定される第２回線状態とを対応付けた状態情報記憶データを生成する状態情報記憶データ生成手段、として機能させることを特徴とするプログラムである。
【０００９】
また本発明は、フレームリレーの通信プロトコルを用いてＣＥ（Customer Edge）装置と通信を行うフレームリレーネットワークと、スードワイヤの通信プロトコルを用いて他情報処理装置と通信を行うスードワイヤネットワークとに接続された情報処理装置であって、前記フレームリレーネットワークを介して接続されたＣＥ装置との間の物理回線の異常または正常を示す第１物理回線状態を検出する第１物理回線状態検出部と、前記フレームリレーネットワークを介して接続されたＣＥ装置との間の前記フレームリレーネットワーク上に構成された仮想回線の異常または正常を示す第１仮想回線状態を検出する第１仮想回線状態検出部と、前記スードワイヤネットワークを介して接続されたＰＥ（Provider Edge）装置との間の物理回線の異常または正常を示す第２物理回線状態を検出する第２物理回線状態検出部と、前記スードワイヤネットワークを介して接続されたＰＥ装置との間の前記物理回線上に構成された仮想回線の異常または正常を示す第２仮想回線状態を検出する第２仮想回線状態検出部と、を備えることを特徴とするＰＥ装置である。
【発明の効果】
【００１０】
本発明によれば、一方の通信ネットワークについての回線状態情報を、一方の通信ネットワークとは通信プロトコルの異なる他方の通信ネットワークへも通知できるようなＬＭＩ処理を行うことのできる情報処理装置を提供することができる。
【図面の簡単な説明】
【００１１】
【図１】通信システムの構成を示すブロック図である。
【図２】ＰＥ装置の機能ブロックを示す図である。
【図３】ＰＥ装置のＦＲ−ＰＷ変換部１３の機能ブロックを示す図である。
【図４】通信システム１０の処理フローを示す第１の図である。
【図５】物理回線状態確認要求と物理回線状態応答のパケットフォーマットを示す図である。
【図６】仮想回線状態確認要求と仮想回線状態応答のパケットフォーマットを示す図である。
【図７】統合情報管理テーブルのデータ例を示す図である。
【図８】ＬＭＩ終端処理部１３３の機能ブロック図である。
【図９】通信システム１０の処理フローを示す第２の図である。
【図１０】ＲＦＣ４６１８や、ＲＦＣ４６１９で開示されているＬＭＩ処理の例を示す図である。
【図１１】本実施形態によるＬＭＩ処理の概要を示す図である。
【発明を実施するための形態】
【００１２】
以下、本発明の一実施形態による情報処理装置を図面を参照して説明する。
図１は同実施形態による通信システムの構成を示すブロック図である。
この図において、符号１０は通信システムを示している。当該通信システム１０は、ＰＥ（Provider Edge）装置１、ＣＥ（Customer Edge）装置２、ＦＲ（Frame Relay）端末３が通信接続されることにより構成されている。なお本実施形態による通信システムは、複数のＰＥ装置１、複数のＣＥ装置２、複数のＦＲ端末３により構成される。
より具体的には、本実施形態による通信システム１０は、ＰＥ装置１ａとＰＥ装置１ｂとがＰＳＮ（Packet Switched Network）ネットワーク４Ａにより接続され、ＰＥ装置１ａとＰＥ装置１ｃとがＰＳＮネットワーク４Ｂにより接続されている。
【００１３】
また、ＰＥ装置１ａは、ＣＥ装置２ａ−１，ＣＥ装置２ａ−２とそれぞれフレームリレーネットワーク５Ａ、フレームリレーネットワーク５Ｂを介して接続されている。
またＰＥ装置１ｂは、ＣＥ装置２ｂとフレームリレーネットワーク５Ｃを介して接続され、ＰＥ装置１ｃは、ＣＥ装置２ｃとフレームリレーネットワーク５Ｄを介して接続されている。
【００１４】
また、ＣＥ装置２ａ−１は、ＦＲ端末３−１とはフレームリレーネットワーク６Ａ−１を介して接続され、ＦＲ端末３−２とはフレームリレーネットワーク６Ａ−２を介してそれぞれ接続されている。
また、ＣＥ装置２ａ−２は、ＦＲ端末３−３とはフレームリレーネットワーク６Ｂ−１を介して接続され、ＦＲ端末３−４とはフレームリレーネットワーク６Ｂ−２を介して接続されている。
また、ＣＥ装置２ｂは、ＦＲ端末３−５とはフレームリレーネットワーク６Ｃ−１を介して接続され、ＦＲ端末３−６とはフレームリレーネットワーク６Ｃ−２を介して接続されている。
また、ＣＥ装置２ｃは、ＦＲ端末３−７とはフレームリレーネットワーク６Ｄ−１を介して接続され、ＦＲ端末３−８とはフレームリレーネットワーク６Ｄ−２を介して接続されている。
【００１５】
そして、このような通信システム１０において、ＦＲ端末３−１と、ＦＲ端末３−５とは、ＣＥ装置２ａ−１，ＰＥ装置１ａ，ＰＥ装置１ｂ，ＣＥ装置２ｂを介した仮想回線ＰＶＣ１（ＰＶＣ；Permanent Virtual Connection）をフレームリレーネットワークやＰＳＮネットワーク上に構築して通信を行うものとする。
また、通信システム１０において、ＦＲ端末３−２と、ＦＲ端末３−７とは、ＣＥ装置２ａ−１，ＰＥ装置１ａ，ＰＥ装置１ｃ，ＣＥ装置２ｃを介した仮想回線ＰＶＣ２をフレームリレーネットワークやＰＳＮネットワーク上に構築して通信を行うものとする。
また、通信システム１０において、ＦＲ端末３−３と、ＦＲ端末３−６とは、ＣＥ装置２ａ−２，ＰＥ装置１ａ，ＰＥ装置１ｂ，ＣＥ装置２ｂを介した仮想回線ＰＶＣ３をフレームリレーネットワークやＰＳＮネットワーク上に構築して通信を行うものとする。
また、通信システム１０において、ＦＲ端末３−４と、ＦＲ端末３−８とは、ＣＥ装置２ａ−２，ＰＥ装置１ａ，ＰＥ装置１ｃ，ＣＥ装置２ｃを介した仮想回線ＰＶＣ４をフレームリレーネットワークやＰＳＮネットワーク上に構築して通信を行うものとする。
なお、ＰＳＮネットワークにおいて、ＰＥ装置１ａとＰＥ装置１ｂおよびＰＥ装置１ａとＰＥ装置１ｃは、それぞれスードワイヤによる通信プロトコルにより接続されるものとする。
【００１６】
そして、本実施形態による情報処理装置であるＰＥ装置１は、ＣＥ装置２との間でフレームリレーネットワークにおけるＬＭＩ処理を行い、他のＰＥ装置１との間でスードワイヤネットワークにおける新規の処理のＬＭＩ処理を行う。
【００１７】
図２は同実施形態によるＰＥ装置の機能ブロックを示す図である。
この図で示すようにＰＥ装置１は、ＦＲ回線インタフェース部１１、第１スイッチ機能部１２、ＦＲ−ＰＷ変換部１３、第２スイッチ機能部１４、ＰＳＮ回線インタフェース部１５の各処理部を備えている。
ここで、ＦＲ回線インタフェース部１１は、フレームリレー回線を収用する通信処理部である。
また、第１スイッチ機能部１２は、フレームリレー回線から入力した通信パケットをＦＲ−ＰＷ変換部１３に接続するための処理部である。
また、ＦＲ−ＰＷ変換部１３は、フレームリレー回線から入力した通信パケット等の通信データをＰＳＮネットワーク上に構築されたスードワイヤの通信プロトコルによる通信パケットに変換し、または、当該スードワイヤ用の通信パケットを、フレームリレー用の通信パケットへ変換する処理部である。
【００１８】
また第２スイッチ機能部１４は、ＦＲ−ＰＷ変換部１３によって変換されたスードワイヤ用の通信パケットを複数のＰＳＮ回線インタフェース部１５のうちの何れか１つに転送する、または、ＰＳＮ回線インタフェース部１５から受信したスードワイヤ用の通信パケットをＦＲ−ＰＷ変換部１３に出力する処理部である。
またＰＳＮ回線インタフェース部１５は、ＰＳＮ回線を収用する通信処理部である。
【００１９】
図２においては、複数のＦＲ回線インタフェース部１１、また複数のＰＳＮ回線インタフェース部１５との間を、第１スイッチ機能部１２、第２スイッチ機能部１４とを配備することにより、あるＦＲ端末３からの通信を、所望のＦＲ端末３へと送信するよう制御することとなる。しかしながら、第１スイッチ機能部１２や、第２スイッチ機能部１４を備えることなく、これらのスイッチ機能部の処理を、ＦＲ−ＰＷ変換部１３が直接行うようにしてもよい。第１スイッチ機能部１２、第１スイッチ機能部１２は、ＴＤＭスイッチやＡＴＭスイッチと同等の機能を備え、第２スイッチ機能部１４は、Ｌ２（レイヤ２）スイッチやＩＰ（Internet Protocol）スイッチ、ＭＰＬＳ（Multi-Protocol Label Switching）などと同等の機能を備える。
【００２０】
図３は同実施形態によるＰＥ装置のＦＲ−ＰＷ変換部１３の機能ブロックを示す図である。
この図が示すように、ＦＲ−ＰＷ変換部１３は、第１スイッチインタフェース部１３１、パケット変換処理部１３２、ＬＭＩ終端処理部１３３、統合情報管理テーブル記憶部１３４、第２スイッチインタフェース部１３５、の各処理部と記憶部とを備えている。
ここで、第１スイッチインタフェース部１３１は、第１スイッチ機能部１２との間で情報を入出力する処理部である。
また、パケット変換処理部１３２は、フレームリレー側から受信したフレームリレーの通信パケット等のデータを、スードワイヤ用のパケットへ変換するか、またはＰＳＮ側から受信したスードワイヤの通信パケット等のデータをフレームリレー用のパケットへ変換する処理を行う。
【００２１】
また、ＬＭＩ終端処理部１３３は、受信したフレームリレーの通信パケット等のデータや、スードワイヤの通信パケット等のデータから、ＬＭＩ処理用のデータ（フレーム）や、新規の独自ＬＭＩ処理用のデータ（フレーム）を抽出し、処理し、またその応答フレーム等を、第１スイッチインタフェース部１３１や、第２スイッチインタフェース部１３５へ出力する処理部である。
また統合情報管理テーブル記憶部１３４は、ＦＲ−ＰＷ変換部１３の入力したフレームリレーやスードワイヤの通信パケットに含まれる、フレームリレー側の回線状態や、ＰＳＮ側の回線状態の情報を記憶するための統合情報管理テーブルを記憶する記憶部である。
また第２スイッチインタフェース部１３５は、第２スイッチ機能部１４との間で情報を入出力する処理部である。
なお、上述の各処理部は、ＰＥ装置１のコンピュータが、記憶するプログラムを実行することによりＰＥ装置１に備わることとなる。そして、統合情報管理テーブル記憶部１３４は、ＰＥ装置１のコンピュータにおけるＣＰＵに接続されたＤＤＲメモリ等で実現される。
【００２２】
図４は通信システム１０の処理フローを示す第１の図である。
次に、本実施形態における通信システム１０の処理について説明する。
本実施形態において、ＰＥ装置１ａは、ＣＥ装置２ａ−１およびＣＥ装置２ａ−２との間でＬＭＩ処理を行う。当該処理において、例えば、ＰＥ装置１ａとＣＥ装置２ａ−１との間のＬＭＩ処理においては、ＣＥ装置２ａ−１が物理回線状態確認要求（SE；Status Enquery）をまずＰＥ装置１ａへ送信し、その応答としてＰＥ装置１ａのＬＭＩ終端処理部１３３が、物理回線状態応答（S;Status）を送信する。そして、ＣＥ装置２ａ−１からＰＥ装置１ａへの物理回線状態確認要求の送信と、ＰＥ装置１ａからＣＥ装置２ａ−１への物理回線状態応答の送信を所定回数繰り返す。そして、ＣＥ装置２ａ−１は、物理回線状態確認要求の送信が所定回数に達した場合、次に、仮想回線状態確認要求（SE-F;Full Status Enquery）を、ＰＥ装置１ａへ送信する。ＰＥ装置１ａは仮想回線状態確認要求を受信した場合、その応答として、仮想回線状態応答（S-F;Full Status）を、ＣＥ装置２ａ−１へ送信する。ＣＥ装置２ａ−１による仮想回線状態確認要求の送信と、ＰＥ装置１ａによる仮想回線状態応答の送信は、それぞれ１回である。以上の処理により、ＰＥ装置１ａと、ＣＥ装置２ａ−１との間のＬＭＩ処理における通信が終了する。
なお、ＰＥ装置１ａは、ＣＥ装置２ａ−２との間で、同様のＬＭＩ処理における通信を行う。
【００２３】
図５は物理回線状態確認要求と物理回線状態応答のパケットフォーマットを示す図である。
図６は仮想回線状態確認要求と仮想回線状態応答のパケットフォーマットを示す図である。
図５において符号５１で示すパケットフォーマットは、物理回線状態確認要求を示すパケットフォーマットであり、符号５２で示すパケットフォーマットは、物理回線状態応答を示すパケットフォーマットである。
また図６において符号５３で示すパケットフォーマットは、仮想回線状態確認要求を示すパケットフォーマットであり、符号５４で示すパケットフォーマットは、仮想回線状態応答を示すパケットフォーマットである。
物理回線状態確認要求のパケットフォーマット５１と、物理回線状態応答のパケットフォーマット５２とでは、図５のパケットフォーマットで示す、メッセージ種別内のデータに違いがある。
また図５で示す物理回線状態確認要求のパケットフォーマット５１や物理回線状態応答のパケットフォーマット５２と、図６で示す仮想回線状態確認要求のパケットフォーマット５３や仮想回線状態応答のパケットフォーマット５４とでは、それぞれのパケットフォーマットで示す、レポート種別内のデータに違いがある。
なお、仮想回線状態応答のパケットフォーマットは、当該仮想回線状態応答がスードワイヤネットワーク上を送受信される場合、図６の符号５５で示すように、パケットフォーマット５２の上位ＤＬＣＩのデータから、ＰＶＣの情報要素までのデータをカプセル化される。
【００２４】
ＰＥ装置１ａのＬＭＩ終端処理部１３３は、パケットフォーマット５１やパケットフォーマット５２内のメッセージ種別や、情報要素種別などの情報を確認して、受信したパケットが物理回線状態確認要求や、仮想回線状態確認要求であるかを判定する。またＰＥ装置１ａのＬＭＩ終端処理部１３３は、受信した物理回線状態確認要求や、仮想回線状態確認要求を受信した後に、物理回線状態応答や、仮想回線状態応答を送信する場合には、受信した物理回線状態確認要求や、仮想回線状態確認要求をコピーして、送信シーケンス番号や受信シーケンス番号に１を加算して、物理回線状態応答や、仮想回線状態応答を生成し、送信する。この時、物理回線状態応答や、仮想回線状態応答の完全性確認内容などに、物理回線状態や、仮想回線状態の情報を格納して送信する。
【００２５】
ここで上述の説明において、ＰＥ装置１ａが、ＣＥ装置２ａ−１およびＣＥ装置２ｂ−１との間で行うＬＭＩ処理について説明したが、ＰＥ装置１ａは、ＰＳＮネットワークによって接続されたＰＥ装置１ｂやＰＥ装置１ｂとの間においては、新規の独自のＬＭＩ処理による通信を行う。
【００２６】
例えばＰＥ装置１ａとＰＥ装置１ｂとの間の新規のＬＭＩ処理による通信では、まず、ＰＥ装置１ａのＬＭＩ終端処理部１３３が、仮想回線状態確認要求（SE-F;Full Status Enquery）をまずＰＥ装置１ｂへ送信する。そしてＰＥ装置１ｂのＬＭＩ終端処理部１３３が、その応答としてＰＥ装置１ａへ、仮想回線状態応答（S-F;Full Status）を送信する。
また、その後ＰＥ装置１ｂのＬＭＩ終端処理部１３３が、仮想回線状態確認要求（SE-F;Full Status Enquery）をまずＰＥ装置１ａへ送信する。そしてＰＥ装置１ａのＬＭＩ終端処理部１３３が、その応答としてＰＥ装置１ｂへ、仮想回線状態応答（S-F;Full Status）を送信する。
なお、ＰＳＮネットワークを介したＰＥ装置１ａとＰＥ装置１ｂとの間はスードワイヤネットワークによって通信ネットワークが構成されている。従って、ＰＥ装置１ａとＰＥ装置１ｂは、スードワイヤネットワーク内に通信パケットを送出するために、図６のパケットフォーマット５５で示すように、パケットフォーマット５２の上位ＤＬＣＩのデータから、ＰＶＣの情報要素までのデータをカプセル化したパケットを生成して、相手のＰＥ装置１へ送信する。
【００２７】
このように、ＰＥ装置１ａとＰＥ装置１ｂとの間の新規のＬＭＩ処理による通信では、ＰＥ装置１ａとＰＥ装置１ｂの両方が、それぞれ、仮想回線状態確認要求と、仮想回線状態応答を交互に送信する。そして、ＰＥ装置１ａからＰＥ装置１ｂへの仮想回線状態確認要求の送信および、ＰＥ装置１ｂからＰＥ装置１ａへの仮想回線状態応答の送信と、ＰＥ装置１ｂからＰＥ装置１ａへの仮想回線状態確認要求の送信および、ＰＥ装置１ａからＰＥ装置１ｂへの仮想回線状態応答の送信が、所定回数繰り返される。
なお、ＰＥ装置１ａはＰＥ装置１ｃとの間においても、同様の新規のＬＭＩ処理による通信を行う。
【００２８】
ここで、図５で示したように、仮想回線状態確認要求や、仮想回線状態応答の通信パケットには、物理回線状態確認要求や、物理回線状態応答のパケットに、ＰＶＣ情報要素データを格納したデータである。従って、ＰＥ装置１ａとＰＥ装置１ｂは、物理回線状態確認要求や、物理回線状態応答を送信することなく、仮想回線状態確認要求や、仮想回線状態応答の通信パケット内から、当該通信パケットに含まれる物理回線の状態情報を抽出する。従って、ＰＥ装置１とＣＥ装置２との間で行ったＬＭＩ処理による通信処理と比べて、ＰＥ装置１同士で行うＬＭＩ処理による通信処理は、物理回線状態確認要求や、物理回線状態応答を送信しないため、通信処理を簡易にすることができる。またＰＥ装置１同士で行うＬＭＩ処理による通信処理では、通信データ量を削減することおよび、各装置におけるＬＭＩ処理の負荷を軽減することができる。
またＰＥ装置１同士で行ったＬＭＩ処理による通信処理では、どちらからも、仮想回線状態確認要求を通信相手先に送信することができる。
【００２９】
図７は統合情報管理テーブルのデータ例を示す図である。
この図で示すように統合情報管理テーブルは、フレームリレー側の回線状態を示すＦＲ側ＰＶＣ状態情報と、スードワイヤ側の回線状態を示すＰＷ側ＰＶＣ状態情報を対応付けて記憶している。ＦＲ側ＰＶＣ状態情報には、ＰＥ装置１とフレームリレーネットワークを介して接続されたＣＥ装置２から送信された仮想回線ＰＶＣについての状態情報（Active／Inactive）が記録される。またＰＷ側ＰＶＣ状態情報には、ＰＥ装置１とＰＳＮネットワーク上に構築されたスードワイヤネットワークを介して接続された他のＰＥ装置１から送信された仮想回線ＰＶＣについての状態情報（Active／Inactive）が記録される。
【００３０】
より具体的には、ＰＥ装置１ａは、ＣＥ装置２ａ−１から送信されたフレームリレーネットワーク５Ａ上の仮想回線ＰＶＣ１についての状態情報、ＣＥ装置２ａ−１から送信されたフレームリレーネットワーク５Ａ上の仮想回線ＰＶＣ２についての状態情報、ＣＥ装置２ａ−２から送信されたフレームリレーネットワーク５Ｂ上の仮想回線ＰＶＣ３についての状態情報、ＣＥ装置２ａ−２から送信されたフレームリレーネットワーク５Ｂ上の仮想回線ＰＶＣ４についての状態情報を、統合情報管理テーブルのＦＲ側ＰＶＣ状態情報として記録する。
またＰＥ装置１ａは、ＰＥ装置１ｂから送信されたスードワイヤネットワーク上の仮想回線ＰＶＣ１についての状態情報、ＰＥ装置１ｂから送信されたスードワイヤネットワーク上の仮想回線ＰＶＣ３についての状態情報、ＰＥ装置１ｃから送信されたスードワイヤネットワーク上の仮想回線ＰＶＣ２についての状態情報、ＰＥ装置１ｃから送信されたスードワイヤネットワーク上の仮想回線ＰＶＣ４についての状態情報を、統合情報管理テーブルのＰＷ側ＰＶＣ状態情報として記録する。
【００３１】
ＰＥ装置１ｂは、ＣＥ装置２ｂから送信されたフレームリレーネットワーク５Ｃ上の仮想回線ＰＶＣ１についての状態情報、ＣＥ装置２ｂから送信されたフレームリレーネットワーク５Ｃ上の仮想回線ＰＶＣ３についての状態情報を、統合情報管理テーブルのＦＲ側ＰＶＣ状態情報として記録する。
またＰＥ装置１ｂは、ＰＥ装置１ａから送信されたスードワイヤネットワーク上の仮想回線ＰＶＣ１についての状態情報、ＰＥ装置１ａから送信されたスードワイヤネットワーク上の仮想回線ＰＶＣ３についての状態情報を、統合情報管理テーブルのＰＷ側ＰＶＣ状態情報として記録する。
【００３２】
ＰＥ装置１ｃは、ＣＥ装置２ｃから送信されたフレームリレーネットワーク５Ｄ上の仮想回線ＰＶＣ２についての状態情報、ＣＥ装置２ｃから送信されたフレームリレーネットワーク５Ｄ上の仮想回線ＰＶＣ４についての状態情報を、統合情報管理テーブルのＦＲ側ＰＶＣ状態情報として記録する。
またＰＥ装置１ｃは、ＰＥ装置１ａから送信されたスードワイヤネットワーク上の仮想回線ＰＶＣ２についての状態情報、ＰＥ装置１ａから送信されたスードワイヤネットワーク上の仮想回線ＰＶＣ４についての状態情報を、統合情報管理テーブルのＰＷ側ＰＶＣ状態情報として記録する。
【００３３】
図８は、ＬＭＩ終端処理部１３３の機能ブロック図である。
ＬＭＩ終端処理部１３３は、図８で示すように、第１物理回線状態検出部１３３１、第１仮想回線状態検出部１３３２、第２物理回線状態検出部１３３３、第２仮想回線状態検出部１３３４、状態情報記憶データ生成部１３３５、回線状態通知部１３３６、の各処理部を備える。
ここで、第１物理回線状態検出部１３３１は、フレームリレーネットワーク（第１の通信ネットワーク）を介して接続されたＣＥ装置２（他情報処理装置）との間の物理回線の異常または正常を示す第１物理回線状態を検出する処理部である。
また、第１仮想回線状態検出部１３３２は、フレームリレーネットワークを介して接続されたＣＥ装置２との間の物理回線上に構成された仮想回線の異常または正常を示す第１仮想回線状態を検出する処理部である。
【００３４】
また、第２物理回線状態検出部１３３３は、スードワイヤネットワーク（第２の通信ネットワーク）を介して接続された他のＰＥ装置１（他情報処理装置）との間の物理回線の異常または正常を示す第２物理回線状態を検出する処理部である。
また第２仮想回線状態検出部１３３４は、スードワイヤネットワークを介して接続された他のＰＥ装置１との間の物理回線上に構成された仮想回線の異常または正常を示す第２仮想回線状態を検出する処理部である。
【００３５】
また状態情報記憶データ生成部１３３５は、第１物理回線状態および第１仮想回線状態から特定される第１回線状態と、第２物理回線状態および第２仮想回線状態から特定される第２回線状態とを対応付けた統合情報管理テーブルのデータ（状態情報記憶データ）を生成する処理部である。
また回線状態通知部１３３６は、フレームリレーネットワークを介して接続されたＣＥ装置２からの回線状態確認要求に基づいてスードワイヤネットワーク側の回線状態を示す第２回線状態を応答し、スードワイヤネットワークを介して接続された他情報処理装置からの回線状態確認要求に基づいてフレームリレーネットワーク側の回線状態を示す第１回線状態を応答する処理部である。
【００３６】
以下、ＬＭＩ終端処理部１３３による統合情報管理テーブルの生成処理の詳細について説明する。
ＰＥ装置１ａにおいてＣＥ装置２ａ−１より物理回線状態確認要求を受信した場合には、第１物理回線状態検出部１３３１が、当該物理回線状態確認要求の通信パケットから、物理回線状態を示す情報を読み取る。そして、第１物理回線状態検出部１３３１は、読み取ったフレームリレーネットワーク５Ａについての物理回線状態を示す情報を、状態情報記憶データ生成部１３３５へ出力する。
またＰＥ装置１ａにおいてＣＥ装置２ａ−１より仮想回線状態確認要求を受信した場合には、第１仮想回線状態検出部１３３２が、当該仮想回線状態確認要求の通信パケットから、仮想回線状態を示す情報を読み取る。そして、第１仮想回線状態検出部１３３２は、読み取った仮想回線ＰＶＣ１，ＰＶＣ２についての仮想回線状態を示す情報を、状態情報記憶データ生成部１３３５へ出力する。
【００３７】
またＰＥ装置１ａにおいてＰＥ装置１ｂより仮想回線状態確認要求を受信した場合には、第２物理回線状態検出部１３３３が、当該仮想回線状態確認要求の通信パケットから、ＰＳＮネットワーク４Ａの物理回線状態を示す情報を読み取り、また、第２仮想回線状態検出部１３３４が、当該仮想回線状態確認要求の通信パケットから、仮想回線ＰＶＣ１，仮想回線ＰＶＣ３の仮想回線状態を示す情報を読み取る。そして、第２物理回線状態検出部１３３３は、読み取ったＰＳＮネットワーク４Ａについての物理回線状態を示す情報を、状態情報記憶データ生成部１３３５へ出力する。また第２仮想回線状態検出部１３３４は、読み取った仮想回線ＰＶＣ１，仮想回線ＰＶＣ３の仮想回線状態を示す情報を、状態情報記憶データ生成部１３３５へ出力する。
【００３８】
またＰＥ装置１ａにおいてＰＥ装置１ｃより仮想回線状態確認要求を受信した場合には、第２物理回線状態検出部１３３３が、当該仮想回線状態確認要求の通信パケットから、ＰＳＮネットワーク４Ｂの物理回線状態を示す情報を読み取り、また、第２仮想回線状態検出部１３３４が、当該仮想回線状態確認要求の通信パケットから、仮想回線ＰＶＣ２，仮想回線ＰＶＣ４の仮想回線状態を示す情報を読み取る。そして、第２物理回線状態検出部１３３３は、読み取ったＰＳＮネットワーク４Ｂについての物理回線状態を示す情報を、状態情報記憶データ生成部１３３５へ出力する。また第２仮想回線状態検出部１３３４は、読み取った仮想回線ＰＶＣ２，仮想回線ＰＶＣ４の仮想回線状態を示す情報を、状態情報記憶データ生成部１３３５へ出力する。
【００３９】
そして、状態情報記憶データ生成部１３３５は、第１物理回線状態検出部１３３１から入力したフレームリレーネットワーク５Ａについての物理回線状態を示す情報と、第１仮想回線状態検出部１３３２から入力した仮想回線ＰＶＣ１，ＰＶＣ２についての仮想回線状態を示す情報とを用いて、ＦＲ側ＰＶＣ状態情報を生成する。このとき状態情報記憶データ生成部１３３５は、フレームリレーネットワーク５Ａについての物理回線状態を示す情報が、異常（Inactive）を示す場合には、全ての仮想回線ＰＶＣの情報を異常と判定する。また、状態情報記憶データ生成部１３３５は、フレームリレーネットワーク５Ａについての物理回線状態を示す情報が、正常（Active）を示す場合には、各仮想回線ＰＶＣについての仮想回線状態を示す情報に基づいて、それら仮想回線ＰＶＣの状態が正常か異常かを判定する。そして、フレームリレーネットワーク５Ａの識別情報と、仮想回線ＰＶＣの識別情報と、状態情報（異常または正常）と、を対応付けたＦＲ側ＰＶＣ状態情報を生成する。
【００４０】
また状態情報記憶データ生成部１３３５は、第２物理回線状態検出部１３３３から入力したＰＳＮネットワーク４Ａについての物理回線状態を示す情報と、第２仮想回線状態検出部１３３４から入力した仮想回線ＰＶＣ１，仮想回線ＰＶＣ３の仮想回線状態を示す情報とを用いて、ＰＷ側ＰＶＣ状態情報を生成する。このとき状態情報記憶データ生成部１３３５は、ＰＳＮネットワーク４Ａについての物理回線状態を示す情報が、異常（Inactive）を示す場合には、全ての仮想回線ＰＶＣの情報を異常と判定する。また、状態情報記憶データ生成部１３３５は、ＰＳＮネットワーク４Ａについての物理回線状態を示す情報が、正常（Active）を示す場合には、各仮想回線ＰＶＣについての仮想回線状態を示す情報に基づいて、それら仮想回線ＰＶＣの状態が正常か異常かを判定する。そして、ＰＳＮネットワーク４Ａの識別情報と、仮想回線ＰＶＣの識別情報と、状態情報（異常または正常）と、を対応付けたＰＷ側ＰＶＣ状態情報を生成する。
【００４１】
また状態情報記憶データ生成部１３３５は、第２物理回線状態検出部１３３３から入力したＰＳＮネットワーク４Ｂについての物理回線状態を示す情報と、第２仮想回線状態検出部１３３４から入力した仮想回線ＰＶＣ２，仮想回線ＰＶＣ４の仮想回線状態を示す情報とを用いて、ＰＷ側ＰＶＣ状態情報を生成する。このとき状態情報記憶データ生成部１３３５は、ＰＳＮネットワーク４Ｂについての物理回線状態を示す情報が、異常（Inactive）を示す場合には、全ての仮想回線ＰＶＣの情報を異常と判定する。また、状態情報記憶データ生成部１３３５は、ＰＳＮネットワーク４Ｂについての物理回線状態を示す情報が、正常（Active）を示す場合には、各仮想回線ＰＶＣについての仮想回線状態を示す情報に基づいて、それら仮想回線ＰＶＣの状態が正常か異常かを判定する。そして、ＰＳＮネットワーク４Ｂの識別情報と、仮想回線ＰＶＣの識別情報と、状態情報（異常または正常）と、を対応付けたＰＷ側ＰＶＣ状態情報を生成する。
【００４２】
そして、状態情報記憶データ生成部１３３５は、ＦＲ側ＰＶＣ状態情報と、ＰＷ側ＰＶＣ状態情報とを対応付けた統合情報管理テーブルを生成して、統合情報管理テーブル記憶部１３４に記録する。
【００４３】
また、回線状態通知部１３３６は、物理回線状態確認要求を入力した場合には、物理回線状態応答を生成して、物理回線状態確認要求の送信元へ送信する処理を行うように指示する処理を行う。この時、回線状態通知部１３３６は、統合情報管理テーブル記憶部１３４で記憶する統合情報管理テーブルからＦＲ側ＰＶＣ状態情報や、ＰＷ側ＰＶＣ状態情報を読み取って、それらの情報を格納した物理回線状態応答を生成する。
また回線状態通知部１３３６は、仮想回線状態確認要求を入力した場合には、仮想回線状態応答を生成して、仮想回線状態確認要求の送信元へ送信する処理を行うように指示する処理を行う。この時、回線状態通知部１３３６は、統合情報管理テーブル記憶部１３４で記憶する統合情報管理テーブルからＦＲ側ＰＶＣ状態情報や、ＰＷ側ＰＶＣ状態情報を読み取って、それらの情報を格納した仮想回線状態応答を生成する。この時回線状態通知部１３３６は、統合情報管理テーブルに複数の仮想回線ＰＶＣについての状態情報が記録されている場合には、それぞれの状態情報の数だけ、図５の符号５２のパケットフォーマットにおいて点線で囲んだＰＶＣの情報要素に対応するデータを生成して、それらを連ねて格納した仮想回線状態応答（５１）を生成する。
【００４４】
以上の処理によれば、ＰＥ装置１は、フレームリレー側に接続されたＣＥ装置２とのＬＭＩ処理とは非同期で、スードワイヤ側に接続された他のＰＥ装置１との間で周期的なＬＭＩ処理による通信を行って、当該他のＰＥ装置１が保持する回線状態情報を取得する。従って、ＰＥ装置１は、フレームリレー側の回線状態情報と、スードワイヤ側の回線状態情報とを把握することができる。
また、統合情報管理テーブルを生成し、回線状態確認要求を受信した場合には、当該統合情報管理テーブルに記録されている回線状態情報を、回線状態確認要求の送信元へ通知するので、ＰＥ装置１に接続されている一方の通信ネットワークの回線状態情報を、他方の通信ネットワークを介して接続されている他の情報処理装置へ通知することができる。これにより、通信システムにおいて、回線状態情報の伝達や中継を、当該通信システムを構成するＰＥ装置１などの情報処理装置が行うことで、通信システム全体における回線の異常や正常を示す状態情報を正確に把握することが可能となる。
【００４５】
図９は通信システム１０の処理フローを示す第２の図である。
この図で示す処理フローでは、ＰＥ装置１ａは、フレームリレーネットワークを介して接続されたＣＥ装置２ａ−１より、仮想回線状態確認要求（SE-F;Full Status Enquery）を受信し、その応答として、仮想回線状態応答（S-F;Full Status）を送信した後に、ＰＳＮネットワーク上に構築されたスードワイヤを介して接続されたＰＥ装置１ｂへ、直ちに、仮想回線状態確認要求（SE-F;Full Status Enquery）を送信している。このような処理を行うことによって、通信システム１０における回線状態情報の伝達を早めることができる。
【００４６】
但し図９で示すような処理を行う場合は、ＰＥ装置１は、他の複数のＰＥ装置１へ送信した仮想回線状態確認要求に対する応答を全て返って来るまで待つ必要が有る。またある一定時間、仮想回線状態確認要求に対応する応答が無い場合にはタイムアウト検出による異常検出処理などを行うようにしてもよい。
また、ＰＥ装置１の間の新規のＬＭＩ処理の通信方式において、ＰＳＮの場合には、リンク状態の確認については、Ｅｔｈｅｒ（登録証票）ネットワークに適用されるＥｔｈｅｒ（登録証票）−ＯＡＭ（operations，administration，maintenance）やＭＰＬＳ−ＴＰネットワークに適用されるＭＰＬＳ−ＯＡＭ（operations，administration，maintenance）等を用いるようにしてもよい。
【００４７】
図１０は、非特許文献１，２で示したＲＦＣ４６１８や、ＲＦＣ４６１９で開示されているＬＭＩ処理の例を示す図である。非特許文献１では、対向する１つずつのＰＥ装置１の間で１つのスードワイヤネットワークが構築される場合のＬＭＩ処理の技術である。また非特許文献では、対向する１つずつのＰＥ装置１の間で複数のスードワイヤネットワークが構築される場合のＬＭＩ処理の技術である。これらの技術では、対向するＰＥ装置が複数である場合に、一方の回線状態情報を他方のネットワークに接続された情報処理装置へ通知できないという問題があった。
【００４８】
本実施形態によれば、図１１で示すように、ＰＥ装置１ａがＰＥ装置１ｂやＰＥ装置１ｃとの間で、上述で説明したような新規のＬＭＩ処理の通信を行うことにより、一方の回線状態情報を他方のネットワークに接続された情報処理装置へ通知することができるようになる。
【００４９】
なお、上述の各装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００５０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００５１】
１・・・ＰＥ装置
２・・・ＣＥ装置
３・・・ＦＲ端末
４Ａ，４Ｂ・・・ＰＳＮネットワーク
５Ａ，５Ｂ，５Ｃ，５Ｄ・・・フレームネットワーク
６Ａ−１，６Ａ−２，６Ｂ−１，６Ｂ−２，６Ｃ−１，６Ｃ−２，６Ｄ−１，６Ｄ−２・・・フレームネットワーク
１１・・・ＦＲ回線インタフェース部
１２・・・第１スイッチ機能部
１３・・・ＦＲ−ＰＷ変換部
１４・・・第２スイッチ機能部
１５・・・ＰＳＮ回線インタフェース部
１３１・・・第１スイッチインタフェース部
１３２・・・パケット変換処理部
１３３・・・ＬＭＩ終端処理部
１３４・・・統合情報管理テーブル
１３５・・・第２スイッチインタフェース部
１３３１・・・第１物理回線状態検出部
１３３２・・・第１仮想回線状態検出部
１３３３・・・第２物理回線状態検出部
１３３４・・・第２仮想回線状態検出部
１３３５・・・状態情報記憶データ生成部
１３３６・・・回線状態通知部
【図１】
0005949136.tif 000002
【図２】
0005949136.tif 000003
【図３】
0005949136.tif 000004
【図４】
0005949136.tif 000005
【図５】
0005949136.tif 000006
【図６】
0005949136.tif 000007
【図７】
0005949136.tif 000008
【図８】
0005949136.tif 000009
【図９】
0005949136.tif 000010
【図１０】
0005949136.tif 000011
【図１１】
0005949136.tif 000012